【手続補正書】
【提出日】平成19年7月31日(2007.7.31)
【手続補正１】
【補正対象書類名】明細書
【補正対象項目名】特許請求の範囲
【補正方法】変更
【補正の内容】
【特許請求の範囲】
【請求項１】  熱交換器と吹出口を覆うように設けられ、背面板と両側面板を有するケーシングと、
このケーシングの前記背面板の下端縁部を断面略コの字状に形成した背面側樋部と、
前記両側面板の下端縁部を断面略コの字状に形成し、前記背面側樋部と連接した側面側樋部と、
前記背面板に設けられ、前記背面板から前記背面側樋部に滴下する水滴を前記側面側樋部に分流させる分流リブと、
前記側面樋部の最下端部に設けられ、前記水滴を滴下させる滴下穴と、
前記側面側樋部の下側に開口部を有し、この開口部の両側壁が前記側面側樋部の両側壁に両側壁が沿うように設けられたドレンパンと、
を備えたことを特徴とする天井埋込形空気調和機。
【請求項２】  熱交換器と吹出口を覆うように設けられ、背面板と両側面板を有するケーシングと、
このケーシングの前記背面板の下端縁部を断面略コの字状に形成した背面側樋部と、
前記両側面板の下端縁部を断面略コの字状に形成し、前記背面側樋部と連接した側面側樋部と、
前記背面側樋部及び側面樋部に設けられ、水滴を滴下させる複数の滴下穴と、
前記側面側樋部及び前記背面側樋部の下側に開口部を有し、この開口部の両側壁が前記側面側樋部及び前記背面側樋部の両側壁に両側壁が沿うように設けられたドレンパンと、
を備えたことを特徴とする天井埋込形空気調和機。
【請求項３】  熱交換器と吹出口を覆うように設けられ、背面板と両側面板を有するケーシングと、
このケーシングを内装する箱体と、
前記ケーシングの前記背面板の下端縁部を断面略コの字状に形成した背面側樋部と、
前記両側面板の下端縁部を断面略コの字状に形成し、前記背面側樋部と連接した側面側樋部と、
前記背面板に設けられ、前記背面板から前記背面側樋部に滴下する水滴を前記側面側樋部に分流させる分流リブと、
前記側面樋部の最下端部に設けられ、前記水滴を滴下させる滴下穴と、
前記箱体の下端開口周縁部の下側に開口部を有し、この開口部の外側壁が前記箱体の前記下端開口周縁部より大きくし、内側壁が前記側面側樋部及び前記背面側樋部の内側壁に沿うように設けられたドレンパンと、
を備えたことを特徴とする天井埋込形空気調和機。
【請求項４】  熱交換器と吹出口を覆うように設けられ、背面板と両側面板を有するケーシングと、
このケーシングを内装する箱体と、
前記ケーシングの前記背面板の下端縁部を断面略コの字状に形成した背面側樋部と、
前記両側面板の下端縁部を断面略コの字状に形成し、前記背面側樋部と連接した側面側樋部と、
前記背面側樋部及び側面樋部に設けられ、水滴を滴下させる複数の滴下穴と、
前記箱体の下端開口周縁部の下側に開口部を有し、この開口部の外側壁が前記箱体の前記下端開口周縁部より大きくし、前記開口部の内側壁が前記側面側樋部及び前記背面側樋部の内側壁に沿うように設けられたドレンパンと、
を備えたことを特徴とする天井埋込形空気調和機。
【請求項５】  前記背面板に設けられ、前記背面板から背面側樋部に滴下する水滴を側面側樋部に分流させる分流リブを備えたことを特徴とする請求項２または請求項４記載の天井埋込形空気調和機。
【請求項６】  前記ドレンパンを、熱交換器の下部に設けられた熱交換器用ドレンパンと一体にしたことを特徴とする請求項１乃至請求項５のいずれかに記載の天井埋込形空気調和機。
【請求項７】  空気を吸込口より吸い込み、吹出口から排出させる送風ファンを備え、
前記ケーシングの両側面板を、前記送風ファンを駆動するモーターを固定するモータ固定部と前記ドレンパンに貯留されたドレン水を排出するドレンポンプを固定するドレンポンプ固定部と各々一体にしたことを特徴とする請求項１乃至請求項６のいずれかに記載の天井埋込形空気調和機。
【手続補正２】
【補正対象書類名】明細書
【補正対象項目名】０００６
【補正方法】変更
【補正の内容】
【０００６】
【課題を解決するための手段】
この発明に係る天井埋込形空気調和機は、熱交換器と吹出口を覆うように設けられ、背面板と両側面板を有するケーシングと、このケーシングの前記背面板の下端縁部を断面略コの字状に形成した背面側樋部と、前記両側面板の下端縁部を断面略コの字状に形成し、前記背面側樋部と連接した側面側樋部と、前記背面板に設けられ、前記背面板から前記背面側樋部に滴下する水滴を前記側面側樋部に分流させる分流リブと、前記側面樋部の最下端部に設けられ、前記水滴を滴下させる滴下穴と、前記側面側樋部の下側に開口部を有し、この開口部の両側壁が前記側面側樋部の両側壁に両側壁が沿うように設けられたドレンパンと、を備える。
【手続補正３】
【補正対象書類名】明細書
【補正対象項目名】０００７
【補正方法】変更
【補正の内容】
【０００７】
また、熱交換器と吹出口を覆うように設けられ、背面板と両側面板を有するケーシングと、このケーシングの前記背面板の下端縁部を断面略コの字状に形成した背面側樋部と、前記両側面板の下端縁部を断面略コの字状に形成し、前記背面側樋部と連接した側面側樋部と、前記背面側樋部及び側面樋部に設けられ、水滴を滴下させる複数の滴下穴と、前記側面側樋部及び前記背面側樋部の下側に開口部を有し、この開口部の両側壁が前記側面側樋部及び前記背面側樋部の両側壁に両側壁が沿うように設けられたドレンパンと、を備える。
【手続補正４】
【補正対象書類名】明細書
【補正対象項目名】０００８
【補正方法】変更
【補正の内容】
【０００８】
また、熱交換器と吹出口を覆うように設けられ、背面板と両側面板を有するケーシングと、このケーシングを内装する箱体と、前記ケーシングの前記背面板の下端縁部を断面略コの字状に形成した背面側樋部と、前記両側面板の下端縁部を断面略コの字状に形成し、前記背面側樋部と連接した側面側樋部と、前記背面板に設けられ、前記背面板から前記背面側樋部に滴下する水滴を前記側面側樋部に分流させる分流リブと、前記側面樋部の最下端部に設けられ、前記水滴を滴下させる滴下穴と、前記箱体の下端開口周縁部の下側に開口部を有し、この開口部の外側壁が前記箱体の前記下端開口周縁部より大きくし、内側壁が前記側面側樋部及び前記背面側樋部の内側壁に沿うように設けられたドレンパンと、を備える。
【手続補正５】
【補正対象書類名】明細書
【補正対象項目名】０００９
【補正方法】変更
【補正の内容】
【０００９】
また、熱交換器と吹出口を覆うように設けられ、背面板と両側面板を有するケーシングと、このケーシングを内装する箱体と、前記ケーシングの前記背面板の下端縁部を断面略コの字状に形成した背面側樋部と、前記両側面板の下端縁部を断面略コの字状に形成し、前記背面側樋部と連接した側面側樋部と、前記背面側樋部及び側面樋部に設けられ、水滴を滴下させる複数の滴下穴と、前記箱体の下端開口周縁部の下側に開口部を有し、この開口部の外側壁が前記箱体の前記下端開口周縁部より大きくし、前記開口部の内側壁が前記側面側樋部及び前記背面側樋部の内側壁に沿うように設けられたドレンパンと、を備える。
【手続補正６】
【補正対象書類名】明細書
【補正対象項目名】００１０
【補正方法】変更
【補正の内容】
【００１０】
また、前記背面板に設けられ、前記背面板から背面側樋部に滴下する水滴を側面側樋部に分流させる分流リブを備える。
【手続補正７】
【補正対象書類名】明細書
【補正対象項目名】００１１
【補正方法】変更
【補正の内容】
【００１１】
また、前記ドレンパンを、熱交換器の下部に設けられた熱交換器用ドレンパンと一体にしたものである。
【手続補正８】
【補正対象書類名】明細書
【補正対象項目名】００１２
【補正方法】変更
【補正の内容】
【００１２】
また、空気を吸込口より吸い込み、吹出口から排出させる送風ファンを備え、前記ケーシングの両側面板を、前記送風ファンを駆動するモーターを固定するモータ固定部と前記ドレンパンに貯留されたドレン水を排出するドレンポンプを固定するドレンポンプ固定部と各々一体にしたものである。
【手続補正９】
【補正対象書類名】明細書
【補正対象項目名】００２７
【補正方法】変更
【補正の内容】
【００２７】
【発明の効果】
以上のように、この発明によれば、熱交換器と吹出口を覆うように設けられ、背面板と両側面板を有するケーシングと、このケーシングの前記背面板の下端縁部を断面略コの字状に形成した背面側樋部と、前記両側面板の下端縁部を断面略コの字状に形成し、前記背面側樋部と連接した側面側樋部と、前記背面板に設けられ、前記背面板から前記背面側樋部に滴下する水滴を前記側面側樋部に分流させる分流リブと、前記側面樋部の最下端部に設けられ、前記水滴を滴下させる滴下穴と、前記側面側樋部の下側に開口部を有し、この開口部の両側壁が前記側面側樋部の両側壁に両側壁が沿うように設けられたドレンパンと、を備えたので、簡単な構成により、冷房時に、ケーシング及び箱体に生じた水滴を容易に回収することができ、信頼性を高め、また、天井等に影響が生じないようにすることができる。
【手続補正１０】
【補正対象書類名】明細書
【補正対象項目名】００２８
【補正方法】変更
【補正の内容】
【００２８】
また、熱交換器と吹出口を覆うように設けられ、背面板と両側面板を有するケーシングと、このケーシングの前記背面板の下端縁部を断面略コの字状に形成した背面側樋部と、前記両側面板の下端縁部を断面略コの字状に形成し、前記背面側樋部と連接した側面側樋部と、前記背面側樋部及び側面樋部に設けられ、水滴を滴下させる複数の滴下穴と、前記側面側樋部及び前記背面側樋部の下側に開口部を有し、この開口部の両側壁が前記側面側樋部及び前記背面側樋部の両側壁に両側壁が沿うように設けられたドレンパンと、を備えたので、簡単な構成により、冷房時に、ケーシング及び箱体に生じた水滴をより容易に回収することができ、より信頼性を高め、また、天井等に影響が生じないようにすることができる。
【手続補正１１】
【補正対象書類名】明細書
【補正対象項目名】００２９
【補正方法】変更
【補正の内容】
【００２９】
また、熱交換器と吹出口を覆うように設けられ、背面板と両側面板を有するケーシングと、このケーシングを内装する箱体と、前記ケーシングの前記背面板の下端縁部を断面略コの字状に形成した背面側樋部と、前記両側面板の下端縁部を断面略コの字状に形成し、前記背面側樋部と連接した側面側樋部と、前記背面板に設けられ、前記背面板から前記背面側樋部に滴下する水滴を前記側面側樋部に分流させる分流リブと、前記側面樋部の最下端部に設けられ、前記水滴を滴下させる滴下穴と、前記箱体の下端開口周縁部の下側に開口部を有し、この開口部の外側壁が前記箱体の前記下端開口周縁部より大きくし、内側壁が前記側面側樋部及び前記背面側樋部の内側壁に沿うように設けられたドレンパンと、を備えたので、簡単な構成により、冷房時に、ケーシング及び箱体に生じた水滴をより容易に回収することができ、より信頼性を高め、また、天井等に影響が生じないようにすることができる。
【手続補正１２】
【補正対象書類名】明細書
【補正対象項目名】００３０
【補正方法】変更
【補正の内容】
【００３０】
また、熱交換器と吹出口を覆うように設けられ、背面板と両側面板を有するケーシングと、このケーシングを内装する箱体と、前記ケーシングの前記背面板の下端縁部を断面略コの字状に形成した背面側樋部と、前記両側面板の下端縁部を断面略コの字状に形成し、前記背面側樋部と連接した側面側樋部と、前記背面側樋部及び側面樋部に設けられ、水滴を滴下させる複数の滴下穴と、前記箱体の下端開口周縁部の下側に開口部を有し、この開口部の外側壁が前記箱体の前記下端開口周縁部より大きくし、前記開口部の内側壁が前記側面側樋部及び前記背面側樋部の内側壁に沿うように設けられたドレンパンと、を備えたので、簡単な構成により、冷房時に、ケーシング及び箱体に生じた水滴をより容易に回収することができ、より信頼性を高め、また、天井等に影響が生じないようにすることができる。
【手続補正１３】
【補正対象書類名】明細書
【補正対象項目名】００３１
【補正方法】変更
【補正の内容】
【００３１】
また、前記背面板に設けられ、前記背面板から背面側樋部に滴下する水滴を側面側樋部に分流させる分流リブを備えたので、ケーシング及び箱体に生じた水滴をより容易に回収することができ、より信頼性を高め、また、天井等に影響が生じないようにすることができる。
【手続補正１４】
【補正対象書類名】明細書
【補正対象項目名】００３２
【補正方法】変更
【補正の内容】
【００３２】
また、前記ドレンパンを、熱交換器の下部に設けられた熱交換器用ドレンパンと一体にしたので、部品点数を少なくすることができる。
【手続補正１５】
【補正対象書類名】明細書
【補正対象項目名】００３３
【補正方法】変更
【補正の内容】
【００３３】
また、空気を吸込口より吸い込み、吹出口から排出させる送風ファンを備え、前記ケーシングの両側面板を、前記送風ファンを駆動するモーターを固定するモータ固定部と前記ドレンパンに貯留されたドレン水を排出するドレンポンプを固定するドレンポンプ固定部と各々一体にしたので、組み立て後の寸法精度を高くすることができ、低騒音化を図ることができる。